(57)【要約】【課題】  表示画面部を横長の画面としたときに、この表示画面部の中央部の下側に操作部を位置させることができるようにして、テレビジョン放送の受信やウェブサイトの参照等の機能を使用する場合においての良好な操作性を実現する。【解決手段】  操作部３を有する第１の筐体部１に対して表示画面部４を有する第２の筐体部２を回転操作可能に支持する支軸は、第２の筐体部２に対して、この支軸に略々直交する方向に移動操作可能となされている。【選択図】  図４
2005109971.tif 000002
【特許請求の範囲】
【請求項１】
一主面部上に操作部を備えた第１の筐体部と、
上記第１の筐体部の一主面部上において、この第１の筐体部に対して回転操作可能に支持され、上記第１の筐体部に対向する側の反対側の主面部上に表示画面部が設けられた第２の筐体部と
を備え、
上記第１の筐体部及び上記第２の筐体部を互いに回転可能に支持する支軸は、該第２の筐体部に対して、この支軸に略々直交する方向に移動操作可能となされている
ことを特徴とする携帯通信端末。
【請求項２】
請求項１記載の携帯通信端末であって、
上記支軸は、上記第１の筐体部に取付けられており、上記第２の筐体部に設けられた所定の幅を有するスリット内に挿入されているとともに、幅がこのスリットの幅に対応した幅となされ長さがこのスリットの幅よりも長くなされた回転規制部材を有し、この回転規制部材を上記スリット内に位置させており、
上記スリットは、上記回転規制部材が上記支軸とともに回転することが可能な幅となされた拡幅部を有しており、
上記支軸は、上記回転規制部材が上記スリットの拡幅部内に位置するときには、該スリットに対して回転可能となされるとともに、この回転規制部材の幅方向が該スリットの幅方向に一致する所定の回転角度位置において、該スリット内を移動可能となされる
ことを特徴とする携帯通信端末。
【請求項３】
請求項２記載の携帯通信端末であって、
上記第１及び第２の筐体部は、それぞれ主面部が略々長方形状となされて構成されており、
上記回転規制部材の幅方向が上記スリットの幅方向に一致する所定の回転角度位置は、上記第１及び第２の筐体部がそれぞれの長辺方向を互いに直交させるときの角度位置である
ことを特徴とする携帯通信端末。
【発明の詳細な説明】
【技術分野】
【０００１】
本発明は、いわゆる携帯電話端末、ＰＨＳ端末、ＰＤＡ等のような無線送受信によってデータの送受信を行う携帯通信端末に関する。
【背景技術】
【０００２】
従来、無線送受信によって種々のデータの送受信を行う携帯通信端末は、多機能化が図られており、電話の送受信やメールの送受信の他、テレビ電話、テレビジョン放送の受信、ウェブサイトの参照などが行えるようになっている。
【０００３】
このような多機能の携帯通信端末においては、受信した画像データや文字データの表示を良好に行うために、表示画面部として、より大きな画面であるものを備えることが望ましい。
【０００４】
このようにして表示画面部が大きくなると、装置構成が大型化してしまう。しかし、携帯通信端末において、良好な携帯性を維持するためには、装置構成を大型化することは好ましくない。
【０００５】
そのため、従来の携帯通信端末においては、表示画面部を大型化しつつも、装置構成が大型化しないようにするため、例えば、公開特許公報（特開平１０−２７１１９２号公報：特許文献１）に記載されているように、操作部と表示画面部とをそれぞれ別個の筐体上に設けておき、これら各筐体を互いにスライド可能に取り付けて構成したものが提案されている。
【０００６】
このような携帯通信端末においては、携帯電話としての非使用時においては、操作部が設けられた筐体と表示画面部が設けられた筐体とを重ねた状態とし、表示画面部が設けられた筐体によって操作部が覆われる状態とすることにより、装置構成が小型化となり、良好な携帯性を確保することができる。そして、この携帯通信端末においては、使用時においては、操作部が設けられた筐体と表示画面部が設けられた筐体とを互いにスライドさせ、操作部及び表示画面部を並列的にそれぞれ外方側に露出された状態とすることにより、良好な操作性を実現することができる。
【０００７】
また、例えば、公開特許公報（特開平７−２８８８６０号公報：特許文献２）に記載されているように、操作部と表示画面部とをそれぞれ別個の筐体上に設けておき、これら各筐体を互いに回転操作可能に取り付けて構成したものが提案されている。
【０００８】
このような携帯通信端末においては、携帯電話としての非使用時においては、操作部が設けられた筐体と表示画面部が設けられた筐体とを重ねた状態とし、表示画面部が設けられた筐体によって操作部が覆われる状態とすることにより、装置構成が小型化となり、良好な携帯性を確保することができる。そして、この携帯通信端末においては、使用時においては、操作部が設けられた筐体と表示画面部が設けられた筐体とを互いに回転させ、操作部及び表示画面部を並列的にそれぞれ外方側に露出された状態とすることにより、良好な操作性を実現することができる。
【特許文献１】特開平１０−２７１１９２号公報（第４頁〜第１１頁：図１）
【特許文献２】特開平７−２８８８６０号公報（第４頁〜第６頁：図１）
【発明の開示】
【発明が解決しようとする課題】
【０００９】
ところで、上述のような携帯通信端末においては、テレビジョン放送の受信やウェブサイトの参照等の機能を使用する場合には、表示画面部は、テレビジョン受信機やパーソナルコンピュータのように、使用者から見て横長の画面であることが望ましい。また、このような場合には、操作部は、使用者から見て表示画面部の中央部の下側に位置していることが望ましい。
【００１０】
ところが、上述の特許文献１に記載された携帯通信端末においては、操作部を表示画面部の下側に位置させた場合には、表示画面部は、縦長の画面となってしまう。また、この携帯通信端末においては、表示画面部を横長の画面として使用しようとすると、操作部が表示画面部の側方に位置することとなってしまう。
【００１１】
また、上述の特許文献２に記載された携帯通信端末においては、操作部を表示画面部の下側に位置させた場合に、表示画面部が横長の画面となるが、この表示画面部が設けられた筐体部が縦長となっているために、表示画面部の大型化を図ることができない。
【００１２】
この携帯通信端末において、仮に、筐体部の長手方向と表示画面部の長手方向とを一致させて表示画面部を設けたとすると、表示画面部の大型化を図ることができる。そして、この場合に、非使用状態に対して、各筐体部を互いに９０°回転させたとすると、横長の画面を有する表示画面部の下側に操作部が位置することとなる。
【００１３】
しかしながら、この場合には、操作部は、使用者から見て表示画面部の側方部の下側に位置することとなり、表示画面部の中央部に位置することはない。
【００１４】
そこで、本発明は、上述の実情に鑑みて提案されるものであって、装置構成を大型化することなく、表示画面部を大型化することができ、また、この表示画面部を使用者から見て横長の画面としたときに、この表示画面部の中央部の下側に操作部を位置させることができる携帯通信端末を提供しようとするものである。
【課題を解決するための手段】
【００１５】
上述の課題を解決するため、本発明に係る携帯通信端末は、一主面部上に操作部を備えた第１の筐体部と、第１の筐体部の一主面部上においてこの第１の筐体部に対して回転操作可能に支持され第１の筐体部に対向する側の反対側の主面部上に表示画面部が設けられた第２の筐体部とを備え、第１の筐体部及び第２の筐体部を互いに回転可能に支持する支軸は、第２の筐体部に対して、この支軸に略々直交する方向に移動操作可能となされていることを特徴とするものである。
【００１６】
この携帯通信端末においては、第１の筐体部及び第２の筐体部を互いに回転可能に支持する支軸が、第２の筐体部に対して、この支軸に略々直交する方向に移動操作可能となされているので、表示画面部を使用者から見て横長の画面としたときに、この表示画面部の中央部の下側に操作部を位置させることができる。
【発明の効果】
【００１７】
本発明に係る携帯通信端末においては、第１の筐体部及び第２の筐体部を互いに回転可能に支持する支軸が第２の筐体部に対してこの支軸に略々直交する方向に移動操作可能となされており、表示画面部を使用者から見て横長の画面としたときに、この表示画面部の中央部の下側に操作部を位置させることができる。
【００１８】
したがって、この携帯通信端末においては、特に、テレビジョン放送の受信やウェブサイトの参照等の機能を使用する場合においての良好な操作性を実現することができる。
【００１９】
すなわち、本発明は、装置構成を大型化することなく、表示画面部を大型化することができ、また、この表示画面部を使用者から見て横長の画面としたときに、この表示画面部の中央部の下側に操作部を位置させることができ、特に、テレビジョン放送の受信やウェブサイトの参照等の機能を使用する場合においての良好な操作性を実現することができる携帯通信端末を提供することができるものである。
【発明を実施するための最良の形態】
【００２０】
以下、本発明の実施の形態を図面を参照しながら説明する。
【００２１】
〔第１の実施の形態の構成（概要）〕
本発明に係る携帯通信端末は、図１に示すように、第１の筐体部１と、第２の筐体部２とを有して構成されている。これら第１及び第２の筐体部１，２は、それぞれ主面部が互いに略々同一の長方形状となされた薄い筐体として構成されており、図１に示す初期状態において、互いに重ねられた状態となっている。
【００２２】
第２の筐体部２は、図２及び図３に示すように、第１の筐体部１の一主面部上において、この第１の筐体部１に対して、回転操作可能に支持されている。
【００２３】
第１の筐体部１は、この携帯通信端末の動作を制御する制御部を内蔵しており、一主面部上に操作部３を備えている。この操作部３は、制御部に接続された複数の操作キーを有して構成されている。この操作部３をなす操作キーが押圧操作されると、操作された操作キーに応じた信号が制御部に入力される。この操作部３の複数の操作キーのうちの１０個の操作キーは、０乃至９の数字に対応されたテンキーとなされている。
【００２４】
第２の筐体部２の第１の筐体部１に対向する側の反対側の主面部上には、表示画面部４が設けられている。この表示画面部４は、例えば、液晶表示装置により構成されており、第１の筐体部１内の制御部に接続されており、この制御部の制御にしたがって所定の表示を行う。また、この携帯通信端末は、テレビジョンチューナを内蔵しており、このテレビジョンチューナが動作しているときには、表示画面部４には、このテレビジョンチューナによって受信された受信画像が表示される。
【００２５】
そして、第１の筐体部１には、一端側部分にマイクロホン部（送話部）５が設けられている。また、第２の筐体部２の他端側部分には、スピーカ部（受話部）６が設けられている。これらマイクロホン部５及びスピーカ部６は、それぞれ制御部に接続されており、電話機としての送話部及び受話部となる。
【００２６】
また、第１及び第２の筐体部１，２のいずれかには、図示しないカメラ部が内蔵されている。このカメラ部は、撮像レンズと、この撮像レンズが形成する像を撮像する固体撮像素子（ＣＣＤ）とを有して構成されている。
【００２７】
そして、第１の筐体部１及び第２の筐体部２を互いに回転可能に支持する支軸は、図４に示すように、第２の筐体部２に対して、この支軸に略々直交する方向に移動操作可能となされている。
【００２８】
〔第１の実施の形態の構成（各筐体部の連結構造）〕
第１の筐体部１は、図５に示すように、上側シェル７及び下側シェル８が突き合わされて構成され、制御部を構成する電子回路基板９を収納している。そして、上側シェル７の内側には、支軸支持板１０が取付けられている。この支軸支持板１０は、上側シェル７の内側面と、ワッシャ板１１とに挟持された状態で、ネジ１１ａによって上側シェル７に対して固定されている。この支軸支持板１０には、図６に示すように、円筒状の支軸１２が突設されている。この支軸１２は、図５に示すように、上側シェル８に形成された円形の透孔１３を介して、第１の筐体部１の上方側に突出している。
【００２９】
そして、第２の筐体部２は、図５に示すように、上側シェル１４及び下側シェル１５が突き合わされて構成されている。この第２の筐体部２内には、表示画面部４を構成する液晶表示板１６、この液晶表示板１６を駆動する電子回路部を構成する電子回路基板１７及びフレキシブル回路基板１８が収納されている。これら液晶表示板１６、電子回路基板１７及びフレキシブル回路基板１８は、基板固定板１９により支持されて、第２の筐体部２内に収納されている。これら液晶表示板１６、電子回路基板１７及びフレキシブル回路基板１８は、上側シェル１４の内側面と基板固定板１９との間に挟持された状態となっている。この基板固定板１９は、第２の筐体部２内に固定されて収納されたシャーシ２０に対して、ネジ２１によって固定されている。なお、上側シェル１４には、液晶表示板１６の表示部が外方に臨むための矩形の透孔２２が形成されている。
【００３０】
そして、第１の筐体部１から突設された支軸１２は、第２の筐体部２の下側シェル１５に形成された矩形の透孔２３を介して、この第２の筐体部２内に進入している。この支軸１２には、図６に示すように、矩形のガイド板２４が、この支軸１２に対して回転可能に取付けられている。このガイド板２４は、支軸１２から抜け落ちないように、この支軸１２に対して回転可能に取付けられている。このガイド板２４も、第２の筐体部２の下側シェル１５に形成された矩形の透孔２３を介して、この第２の筐体部２内に進入している。
【００３１】
第２の筐体部２内のシャーシ２０の下面部（第１の筐体部１側）には、図５に示すように、一対のレール２５，２５が、この第２の筐体部２の長手方向に沿って、互いに平行となされて取付けられている。これらレール２５，２５は、図７及び図８に示すように、ガイド板２４の両側部を支持し、第２の筐体部２の長手方向に移動可能としている。これらガイド板２４及びレール２５，２５は、支軸１２を第２の筐体部２に対してこの支軸１２に直交する方向に移動操作可能とする摺動機構を構成している。
【００３２】
そして、支軸１２は、図９に示すように、シャーシ２０に形成されたスリット２６に先端側を進入させている。この支軸１２の先端側には、回転規制部材２７が取付けられている。この回転規制部材２７は、スリット２６内に位置している。この回転規制部材２７は、幅がスリット２６の幅に対応した幅となされ、長さがこのスリット２６の幅よりも長くなされている。すなわち、この回転規制部材２７は、スリット２６内においては、支軸１２の軸回りに回転することが規制されており、支軸１２が第２の筐体部２に対して回転することを規制する。
【００３３】
スリット２６は、一端側部分に、回転規制部材２７が支軸１２とともに回転することが可能な幅となされた拡幅部２８を有している。すなわち、回転規制部材２７は、図１０に示すように、拡幅部２８内においては、支軸１２の軸回りに回転することが可能であり、支軸１２が第２の筐体部２に対して回転することを可能とする。また、回転規制部材２７は、拡幅部２８内において回転し、この回転規制部材２７の幅方向がスリット２６の幅方向に一致しない回転角度位置となったときには、この拡幅部２８から抜け出してスリット２６内を移動することができなくなる。
【００３４】
したがって、支軸１２は、回転規制部材２７がスリット２６の拡幅部２８内に位置するときには、スリット２６に対して回転可能となされるとともに、この回転規制部材２７の幅方向がスリット２６の幅方向に一致する所定の回転角度位置において、このスリット２６内を移動可能となされる。
【００３５】
そして、回転規制部材２７の幅方向がスリット２６の幅方向に一致する所定の回転角度位置は、第１及び第２の筐体部１，２がそれぞれの長辺方向を互いに直交させるときの角度位置となっている。
【００３６】
なお、第１の筐体部１内の電子回路基板９と、第２の筐体部２内の電子回路基板１７及びフレキシブル回路基板１８とは、ワイヤハーネス２９によって接続されている。このワイヤハーネス２９は、図１１に示すように、スリット２６及び支軸１２内を通って、これら各電子回路基板９，１７及びフレキシブル回路基板１８を互いに接続させている。
【００３７】
上述のような構成により、この携帯通信端末においては、第１及び第２の筐体部１，２は、図１及び図２に示すように、支軸１２回りに互いに回転可能となされている。このとき、支軸１２は、スリット２６の拡幅部２８内に位置している。
【００３８】
そして、第１及び第２の筐体部１，２は、図２に示すように、それぞれの長手方向を互いに直交させる回転角度位置となったときには、図４に示すように、互いにスライド可能となされる。第１及び第２の筐体部１，２が互いにスライドされたとき、支軸１２は、スリット２６内において、第２の筐体部２の長手方向に移動される。この状態においては、表示画面部４を使用者から見て横長の画面としたときに、この表示画面部４の中央部の下側に、第１の筐体部１の操作部３が位置することとなる。
【００３９】
なお、回転規制部材２７とガイド板２４との間に、いわゆるクリックストップ機構を設けることにより、第１及び第２の筐体部１，２がそれぞれの長手方向を互いに同一方向とする初期状態や、これら筐体部１，２が互いにスライド可能となる角度位置（それぞれの長手方向を互いに直交させる角度位置）等において、これら筐体部１，２間の角度が保持されるようにすることができる。
【００４０】
このようなクリックストップ機構は、第１の筐体部１と第２の筐体部２との間に設けることもできる。
【００４１】
また、第１及び第２の筐体部１，２が互いにスライド可能となる角度位置は、上述したようなそれぞれの長手方向を互いに直交させる角度位置に限定されることなく、これら長手方向が、例えば、３０°４５°６０°、たまは、１２０°１３５°１５０°などの所定の角度をなす角度位置としてもよい。
【００４２】
〔第１の実施の形態の構成（電子回路部）〕
この携帯通信端末において、図１２に示すように、制御部３０は、制御ライン３１に接続されている。そして、この制御ライン３１には、通信回路３２、表示画面部４、操作部３、撮像制御部３３及びメモリ３４が接続されている。この制御ライン３１に接続されている各ブロックは、制御部３０によって制御されて動作する。
【００４３】
通信回路３２は、アンテナ３５を介して、電話回線に接続された他の通信端末との間で無線データ通信を行う。また、撮像制御部３３は、カメラ部３６に接続されており、このカメラ部３６を制御するとともに、このカメラ部３６から出力される撮像データを受信する。
【００４４】
そして、通信回路３２、表示画面部４、撮像制御部３３及びメモリ３４は、データライン３７に接続されている。さらに、このデータライン３７には、マイクロホン部５、スピーカ部６及びテレビジョンチューナ部３８が接続されている。このデータライン３７に接続されている各ブロックは、互いにデータの授受を行うことができる。
【００４５】
〔第１の実施の形態の動作〕
この携帯通信端末において、制御部３０は、以下のような、電話モード、メールモード、ウェブモード、カメラモード及びテレビモードのいずれかへの動作モードの切換えを行う。
【００４６】
〔電話モード〕
この携帯通信端末において、電話モードにおいては、制御部３０は、操作部３に対する入力操作に応じて通信回路３２を制御し、電話の発呼、または、着信した電話に対する応答を行う。また、制御部３０は、マイクロホン部５から入力された音声データを通信回路３２に送って送信させるとともに、通信回路３２により受信された音声データをスピーカ部６から出力させる。
【００４７】
この電話モードにおいては、図３に示すように、第１及び第２の筐体部１，２を初期状態から互いに１８０°回転させ、操作部３が全て外方側に露出されるとともに、マイクロホン部５とスピーカ部６とが最も離れる状態として使用する。
【００４８】
〔メールモード〕
そして、この携帯通信端末において、メールモードにおいては、制御部３０は、操作部３に対する入力操作に応じて通信回路３２を制御し、メールの発信、または、メールの受信を行う。すなわち、このメールモードにおいては、操作部３から入力された文字データがメモリ３４に格納されるとともに通信回路３２に送られて送信され、通信回路３２により受信された文字データがメモリ３４に格納されるとともに表示画面部４により表示される。
【００４９】
なお、このメールモードにおいては、文字データとともに、メモリ３４に格納された映像データその他のデータを添付して通信回路３２により送信することができ、また、通信回路３２により文字データに添付された映像データその他のデータが受信された場合には、これらのデータがメモリ３４に格納されるとともに表示画面部４により表示される。
【００５０】
このメールモードにおいては、図２及び図３に示すように、第１及び第２の筐体部１，２を初期状態から互いに９０°、または、１８０°回転させ、操作部３が全て外方側に露出されるようにして使用する。あるいは、図４に示すように、第１及び第２の筐体部１，２を初期状態から互いに９０°回転させた後にこれら筐体部１，２を互いにスライドさせ、表示画面部４を使用者から見て横長の画面とし、この表示画面部４の中央部の下側に操作部３を位置させて使用してもよい。
【００５１】
〔ウェブモード〕
この携帯通信端末において、ウェブモードにおいては、制御部３０は、操作部３に対する入力操作に応じて通信回路３２を制御し、インターネットサーバへのアクセスを行う。すなわち、このウェブモードにおいては、操作部３から入力された文字データ（アクセスデータ）が通信回路３２に送られて送信され、通信回路３２によりインターネットサーバから受信されたデータがメモリ３４に格納されるとともに表示画面部４により表示される。
【００５２】
このウェブモードにおいては、図４に示すように、第１及び第２の筐体部１，２を初期状態から互いに９０°回転させた後にこれら筐体部１，２を互いにスライドさせ、表示画面部４を使用者から見て横長の画面とし、この表示画面部４の中央部の下側に操作部３を位置させて使用すると使い勝手が良い。
【００５３】
〔カメラモード〕
そして、この携帯通信端末においては、カメラモードにおいては、操作部３に対する入力操作に応じて、制御部３０が映像制御部２０２を介してカメラ部３６を制御し、カメラ部３６により撮像された映像データのメモリ３４への格納、格納された映像データの読出し及び表示画面部４への表示が行われる。
【００５４】
このカメラモードにおいては、図２及び図３に示すように、第１及び第２の筐体部１，２を初期状態から互いに９０°、または、１８０°回転させ、操作部３が全て外方側に露出されるようにして使用する。あるいは、図４に示すように、第１及び第２の筐体部１，２を初期状態から互いに９０°回転させた後にこれら筐体部１，２を互いにスライドさせ、表示画面部４を使用者から見て横長の画面とし、この表示画面部４の中央部の下側に操作部３を位置させて使用してもよい。
【００５５】
〔テレビモード〕
さらに、この携帯通信端末においては、テレビモードにおいては、操作部３に対する入力操作に応じて、制御部３０がテレビジョンチューナ部３８を制御し、このテレビジョンチューナ部３８から出力される映像データの表示画面部４への表示及び音声データのスピーカ部６による出力が行われる。
【００５６】
このテレビモードにおいては、図４に示すように、第１及び第２の筐体部１，２を初期状態から互いに９０°回転させた後にこれら筐体部１，２を互いにスライドさせ、表示画面部４を使用者から見て横長の画面とし、この表示画面部４の中央部の下側に操作部３を位置させて使用すると使い勝手が良い。
【００５７】
〔第１の実施の形態の効果〕
上述のように、この携帯通信端末においては、装置構成を大型化することなく、表示画面部４を大型化することができ、また、第１及び第２の筐体部１，２を初期状態から互いに９０°回転させた後にこれら筐体部１，２を互いにスライドさせ、表示画面部４を使用者から見て横長の画面とし、この表示画面部４の中央部の下側に操作部３を位置させることにより、特に、テレビジョン放送の受信やウェブサイトの参照等の機能を使用する場合において、良好な操作性を実現することができる。
【００５８】
〔第２の実施の形態の構成〕
本発明に係る携帯通信端末は、いわゆる携帯ゲーム機として使用することもできる。この場合には、図１３に示すように、第１の筐体部１において、操作部３が設けられている側の反対側の端部にゲーム用の複数の操作ボタン３９を設ける。
【００５９】
〔第２の実施の形態の動作〕
この携帯通信端末が実行する動作は、上述の第１の実施の形態における動作と同様である。
【００６０】
また、この携帯通信端末は、内部のメモリ３４に記憶されたゲームプログラムを制御部が実行することにより、携帯ゲーム機として動作する。ゲームプログラムの実行により表示される画像は表示画面部４により表示され、再生される音響はスピーカ部６より出力される。
【００６１】
携帯ゲーム機として使用する場合においては、図４に示すように、第１及び第２の筐体部１，２を初期状態から互いに９０°回転させた後にこれら筐体部１，２を互いにスライドさせ、表示画面部４を使用者から見て横長の画面とし、この表示画面部４の中央部の下側に操作部３を位置させて使用すると使い勝手が良い。
【００６２】
このとき、ゲーム用の複数の操作ボタン３９は、使用者から見て第１の筐体部１の上端部（向こう側）に位置することとなる。
【００６３】
〔第２の実施の形態の効果〕
この携帯通信端末においては、装置構成を大型化することなく、表示画面部４を大型化することができ、また、第１及び第２の筐体部１，２を初期状態から互いに９０°回転させた後にこれら筐体部１，２を互いにスライドさせ、表示画面部４を使用者から見て横長の画面とし、この表示画面部４の中央部の下側に操作部３を位置させることにより、携帯ゲーム機として使用する場合において、操作部３を親指で操作し、ゲーム用の複数の操作ボタン３９を人差し指で操作することができ、良好な操作性を実現することができる。
【図面の簡単な説明】
【００６４】
【図１】本発明に係る携帯通信端末の第１の実施の形態における構成（初期状態）を示す斜視図である。
【図２】上記携帯通信端末の第１の実施の形態において各筐体部を互いに９０°回転させた状態を示す斜視図である。
【図３】上記携帯通信端末の第１の実施の形態において各筐体部を互いに１８０°回転させた状態を示す斜視図である。
【図４】上記携帯通信端末の第１の実施の形態において各筐体部を互いにスライドさせた状態を示す斜視図である。
【図５】上記携帯通信端末の第１の実施の形態における構成を示す分解斜視図である。
【図６】上記携帯通信端末の第１の実施の形態における支軸の構成を示す斜視図である。
【図７】上記携帯通信端末の第１の実施の形態における摺動機構の初期状態における構成を示す斜視図である。
【図８】上記携帯通信端末の第１の実施の形態における摺動機構の摺動した状態における構成を示す斜視図である。
【図９】上記携帯通信端末の第１の実施の形態における回転規制部材及びスリットの摺動した状態における構成を示す斜視図である。
【図１０】上記携帯通信端末の第１の実施の形態における回転規制部材及びスリットの回転した状態における構成を示す斜視図である。
【図１１】上記携帯通信端末の第１の実施の形態における電子回路基板及びワイヤハーネスの接続状態を示す斜視図である。
【図１２】上記携帯通信端末の第１の実施の形態が備える回路部の構成を示すブロック図である。
【図１３】本発明に係る携帯通信端末の第２の実施の形態において各筐体部を互いにスライドさせた状態を示す平面図である。
【符号の説明】
【００６５】
１  第１の筐体部、２  第２の筐体部、３  操作部、４  表示画面部、５  マイクロホン部、６  スピーカ部、１２  支軸、２６  スリット、２７  回転規制部材、２８  拡幅部
【図１】
2005109971.tif 000003
【図２】
2005109971.tif 000004
【図３】
2005109971.tif 000005
【図４】
2005109971.tif 000006
【図５】
2005109971.tif 000007
【図６】
2005109971.tif 000008
【図７】
2005109971.tif 000009
【図８】
2005109971.tif 000010
【図９】
2005109971.tif 000011
【図１０】
2005109971.tif 000012
【図１１】
2005109971.tif 000013
【図１２】
2005109971.tif 000014
【図１３】
2005109971.tif 000015